(57)【要約】【課題】給気口からの外気をも適切に予熱可能な空調システムを提供する。【解決手段】熱源機１０と熱利用部ＨＥ１〜ＨＥ３との間で熱媒体Ｌを循環する循環回路Ｃとを有する空調システム１００であって、給気口４１には、空調対象空間Ｖ１，Ｖ２の内部に導く外気Ａを予熱する外気予熱用熱交換器ＨＥ４が配設され、循環回路Ｃとして、熱媒体Ｌが熱源機１０から熱利用部ＨＥ１〜ＨＥ３を流通したのち外気予熱用熱交換器ＨＥ４を流通して熱源機１０に戻る第１循環回路Ｃ１と、熱媒体Ｌが熱源機１０から直接外気予熱用熱交換器ＨＥ４を通流して熱源機に１０戻る第２循環回路Ｃ２とを有し、第１循環回路Ｃ１の熱源機１０と外気予熱用熱交換器ＨＥ４との間に、複数の熱利用部ＨＥ１〜ＨＥ３が並列に配設されている。【選択図】図１
2010181072.tif 000002
【特許請求の範囲】
【請求項１】
外気を外部から空調対象空間の内部へ給気口を介して導くと共に、外部から導かれた前記外気を前記空調対象空間の内部から外部へ排気口を介して導く給排気手段と、
熱源機と熱利用部との間で熱媒体を循環する循環回路とを有する空調システムであって、
前記給気口には、前記空調対象空間の内部に導く外気を予熱する外気予熱用熱交換器が配設され、
前記循環回路として、
熱媒体が前記熱源機から前記熱利用部を流通したのち前記外気予熱用熱交換器を流通して前記熱源機に戻る第１循環回路と、熱媒体が前記熱源機から直接前記外気予熱用熱交換器を通流して前記熱源機に戻る第２循環回路とを有し、
前記第１循環回路の前記熱源機と前記外気予熱用熱交換器との間に、複数の前記熱利用部が並列に配設されている空調システム。
【請求項２】
熱媒体を前記熱源機から前記第１循環回路を流通させる第１循環状態と、熱媒体を前記熱源機から前記第２循環回路を流通させる第２循環状態とに切替可能な切替手段を備えている請求項１に記載の空調システム。
【請求項３】
前記切替手段は、複数の前記熱利用部の何れかにて運転要求があるとき、前記第１循環状態に切り替え、複数の前記熱利用部のすべてからの運転要求がないとき、前記第２循環状態に切り替える請求項２に記載の空調システム。
【請求項４】
前記切替手段は、複数の前記熱利用部の何れかにて運転要求がある場合、その後、複数の前記熱利用部のすべてからの運転要求がなくなると、前記第２循環状態に切り替える請求項３に記載の空調システム。
【請求項５】
前記第２循環回路は、前記熱媒体が前記外気予熱用熱交換器を迂回するバイパス路を有する請求項１乃至４の何れか一項に記載の空調システム。
【請求項６】
複数の前記熱利用部は、前記外気の温度が前記空調対象空間の内部の空気の温度よりも低い場合に運転要求されるものである請求項１乃至５の何れか一項に記載の空調システム。
【請求項７】
複数の前記熱利用部は、互いに異なる時間帯に運転要求されるものである請求項１乃至６の何れか一項に記載の空調システム。
【発明の詳細な説明】
【技術分野】
【０００１】
本発明は、外気を外部から空調対象空間の内部へ給気口を介して導くと共に、外部から導かれた前記外気を前記空調対象空間の内部から外部へ排気口を介して導く給排気手段と、熱源機と熱利用部との間で熱媒体を循環する循環回路とを有する空調システムに関する。
【背景技術】
【０００２】
従来の空調システムでは、熱利用部として、ファンコンベクター、ラジエータ、床暖房パネル等が備えられており、循環回路において、複数の熱利用部が直列に設けられている。そして、循環回路には、複数の熱利用部を順に流通した熱媒体が流通する外気予熱用熱交換器が配設されており、この外気予熱用熱交換器を流通した熱媒が熱源機に戻る構成とされている。外気予熱用熱交換器は、空調対象空間の外部から内部へ外気を取り込む給気口に配設されており、空調対象空間の外部から内部へ取り込む空気を予熱している（特許文献１を参照）。
【先行技術文献】
【特許文献】
【０００３】
【特許文献１】特開２００５−３１５５１６号公報
【発明の概要】
【発明が解決しようとする課題】
【０００４】
熱利用部では、熱媒体の流通によりその熱媒体が有する熱を放熱させて暖房等を行うが、暖房対象空間の温度変化等により熱利用部を通過した後の熱媒体の温度を一定温度に調整することが難しい。上記従来の空調システムでは、複数の熱利用部が直列に配設されているため、熱媒体の流れ方向において、２つ目や３つ目の熱利用部には既に熱利用部を流通した熱媒体が供給されるので、２つ目や３つ目の熱利用部に供給される熱媒体の温度を一定温度に調整することが難しくなる。そのために、２つ目や３つ目の熱利用部にて求められている熱媒体の温度を得ることができず、２つ目や３つ目の熱利用部にて熱媒体が有する熱を的確に利用できない可能性がある。
また、外気予熱用熱交換器には、複数の熱利用部を流通した後の熱媒体が供給されるので、低温の熱媒体が供給されることになり、空調対象空間の外部から内部へ取り込む空気の予熱を効果的に行えない可能性も生じる。
【０００５】
ちなみに、上述のような問題を解決するために、複数の熱利用部の夫々に対して熱媒体を迂回させるバイパス路を設けることが考えられるが、このように複数の熱利用部の夫々に対してバイパス路を設けると、構成の複雑化を招くことになる。
【０００６】
本発明は、上記の課題に鑑みてなされたものであり、その目的は、複数の熱利用部に対して求められている温度の熱媒体を供給することができながら、給気口から取り込む外気の予熱も効果的に行うことができる空調システムを提供する点にある。
【課題を解決するための手段】
【０００７】
上記目的を達成するための本発明に係る空調システムは、外気を外部から空調対象空間の内部へ給気口を介して導くと共に、外部から導かれた前記外気を前記空調対象空間の内部から外部へ排気口を介して導く給排気手段と、熱源機と熱利用部との間で熱媒体を循環する循環回路とを有する空調システムであって、
前記給気口には、前記空調対象空間の内部に導く外気を予熱する外気予熱用熱交換器が配設され、前記循環回路として、熱媒体が前記熱源機から前記熱利用部を流通したのち前記外気予熱用熱交換器を流通して前記熱源機に戻る第１循環回路と、熱媒体が前記熱源機から直接前記外気予熱用熱交換器を通流して前記熱源機に戻る第２循環回路とを有し、前記第１循環回路の前記熱源機と前記外気予熱用熱交換器との間に、複数の前記熱利用部が並列に配設されている点にある。
【０００８】
上記特徴構成によれば、第１循環回路に設けられた複数の熱利用部は、並列に設けられているため、夫々の熱利用部に導かれる熱媒体は、熱源機から直接導かれるものとなる。これにより、夫々の熱利用部に対し、求められている温度の熱媒体が導くことができ、夫々の熱利用部にて熱媒体が有する熱を所望の状態で暖房等に利用することができる。そして、外気予熱用熱交換器に導かれる熱媒体は、並列に設けられた空調用熱交換器のうち、一つだけを流通したものとなるため、比較的高い温度を有し、外気を適切に予熱することができる。
また、第２循環回路は、熱媒体を熱源機から直接外気予熱用熱交換器へ導いて、比較的高温の熱媒体を外気予熱用熱交換器に流通させることができるため、例えば、複数の熱利用部の全てが使用されていないときでも、外気を適切に予熱して空調対象空間内に導き、快適性を維持することができる。
以上より、複数の熱利用部の夫々での熱利用を好適に行うことができながら、給気口から取り込む外気をも適切に予熱可能な空調システムを実現することができる。
【０００９】
本発明に係る空調システムの更なる特徴構成は、熱媒体を前記熱源機から前記第１循環回路を流通させる第１循環状態と、熱媒体を前記熱源機から前記第２循環回路を流通させる第２循環状態とに切替可能な切替手段を備えている点にある。
【００１０】
上記特徴構成によれば、切替手段は、第１循環状態と第２循環状態とに切り替えて熱媒体を流通させることができる。このため、状況に応じて、第１循環状態と第２循環状態とに切り替えて、外気を適切に予熱することができながら、熱利用部での熱利用に対しても適切に対応することができる。
【００１１】
本発明に係る空調システムの更なる特徴構成は、前記切替手段は、前記第１循環状態に切り替え、複数の前記熱利用部のすべてからの運転要求がないとき、前記第２循環状態に切り替える点にある。
【００１２】
上記特徴構成によれば、例えば、使用者等が操作部等により複数の熱利用部の何れかにて運転要求を行うと、第１循環状態に切り替えて、運転要求がされている熱利用部での熱利用を可能としながら、給気口から取り込む外気の予熱も効果的に行うことができる。また、複数の熱利用部のすべてから運転要求がないときには、第２循環状態に切り替えて、給気口から取り込む外気の予熱のみを行うことができる。
【００１３】
本発明に係る空調システムの更なる特徴構成は、前記切替手段は、複数の前記熱利用部の何れかにて運転要求がある場合、その後、複数の前記熱利用部のすべてからの運転要求がなくなると、前記第２循環状態に切り替える点にある。
【００１４】
上記特徴構成によれば、複数の熱利用部の何れかにて運転要求があるときには、第１循環状態に切り替えているので、その後、複数の熱利用部のすべてからの運転要求がなくなっても、第１循環回路等に存在する熱媒体の温度は比較的高温となっている。よって、このときに第２循環状態に切り替えることにより、比較的高温の熱媒体を利用しながら給気口から取り込む外気の予熱を行うことができ、熱利用効率の向上を図ることができる。
【００１５】
本発明に係る空調システムの更なる特徴構成は、前記第２循環回路は、前記熱媒体が前記外気予熱用熱交換器を迂回するバイパス路を有する点にある。
【００１６】
上記特徴構成によれば、熱媒体を外気予熱用熱交換器を迂回させてバイパス流路に導くことができるので、例えば、外気の温度が空調対象空間の温度より高い場合、特に夏季等に、外気を予熱せずに、空調対象空間へ導くことができる。
【００１７】
本発明に係る空調システムの更なる特徴構成は、複数の前記熱利用部は、前記外気の温度が前記空調対象空間の内部の空気の温度よりも低い場合に運転要求されるものである点にある。
【００１８】
上記特徴構成によれば、外気の温度が空調対象空間の温度より低い場合（例えば冬季）、熱利用部から運転要求されるので、外気予熱用熱交換器が、熱媒体を流通して外気を予熱することができる。逆に、外気の温度が空調対象空間の温度より高い場合（例えば夏季）、熱利用部から運転要求がされないようにでき、外気予熱用熱交換器に熱媒体を流通しない状態を実現できる。これにより、前記外気の温度が前記空調対象空間の温度より低い場合、特に、冬季等に、熱媒体を適切に外気予熱用熱交換器に導いて、低温の外気を効果的に予熱することができる。
【００１９】
本発明に係る空調システムの更なる特徴構成は、複数の前記熱利用部は、互いに異なる時間帯に運転要求されるものである点にある。
【００２０】
上記特徴構成によれば、外気予熱用熱交換器には、複数の熱利用部の何れかから運転要求があると、熱媒体が導かれるように構成されており、互いに異なる時間帯に使用されれば、長時間に亘って外気を予熱することができる。よって、例えば、２４時間を通じて給気口から外気を取り入れるシステムにおいてより好適なものとなる。
【図面の簡単な説明】
【００２１】
【図１】本発明の空調システムの実施形態を示す概略構成図である。
【図２】本発明の空調システムの別実施形態を示す概略構成図である。
【発明を実施するための形態】
【００２２】
本発明の空調システム１００の実施形態を、図１に基づいて説明する。まず、空調システム１００の基本構成について説明する。
本発明の空調システム１００は、外気Ａを外部から屋内部屋Ｖ２（空調対象空間の一例）の内部へ給気口４１を介して導くと共に、外部から導かれた前記外気Ａを屋内部屋Ｖ２の内部から外部へ排気口４２を介して導く換気ファン４２ａと、熱源機１０から供給される湯水Ｌ（熱媒体の一例）により空調対象空間Ｖ２を暖房するファンコンベクターＨＥ２及び床暖房パネルＨＥ３（熱利用部の例）とを備えたものである。
【００２３】
尚、本実施形態では、屋内部屋Ｖ２に隣接する浴室Ｖ１に対して、浴室暖房乾燥機ＨＥ１を備えており、この浴室暖房乾燥機ＨＥ１も熱利用部として設けられている。浴室暖房乾燥機ＨＥ１は、熱源機１０から供給される湯水Ｌの流通により空気を加熱する熱交換器を備えており、その熱交換器にて加熱された空気を浴室Ｖ１に送風して浴室Ｖ１を暖房又は乾燥している。
【００２４】
ファンコンベクターＨＥ２は、熱源機１０から供給される湯水Ｌの流通により空気を加熱する熱交換器を備えており、その熱交換器にて加熱された空気を屋内部屋Ｖ２に送風することにより屋内部屋Ｖ２を暖房している。
【００２５】
床暖房パネルＨＥ３は、屋内部屋Ｖ２の床の下方に配置されており、熱源機１０から供給される湯水Ｌの流通によりその湯水Ｌが有する熱を放熱させて屋内部屋Ｖ２を暖房している。
上記浴室暖房乾燥機ＨＥ１、ファンコンベクターＨＥ２、及び床暖房パネルＨＥ３には、熱源機１０から略８０℃〜４０℃程度の湯水Ｌが導かれるように構成されている。
【００２６】
〔熱源機〕
熱源機１０は、外部から供給される燃料ガスＧと燃焼用空気Ａとの混合気を燃焼させて、燃焼火炎を形成するバーナ１１と、当該燃焼火炎の顕熱を回収する顕熱回収熱交換器ＨＥ６と、バーナ１１の排ガスの潜熱を回収する潜熱回収熱交換器ＨＥ５と、循環回路Ｃにて湯水を循環させるポンプＰとを備えて構成されている。
当該熱源機１０は、循環路Ｃに戻ってきた湯水Ｌを加熱し、加熱後の高温の湯水Ｌを循環回路Ｃに送り出すように機能する。尚、本実施形態において、熱源機１０から送り出される湯水Ｌの出口温度は、８０℃乃至４０℃程度に設定されて送り出される。
【００２７】
〔給排気手段〕
屋内部屋Ｖ２には、給気口４１、排気口４２、及び排気口４２に設けられた換気ファン４２ａが設けられており、これら給気口４１、排気口４２、排気口４２及び換気ファン４２ａが、屋内部屋Ｖ２の外部から屋内部屋Ｖ２の内部へ外気Ａを導くと共に、屋内部屋Ｖ２の空気を屋内部屋Ｖ２の外部へ送り出す給排気手段として機能する。これにより、屋内部屋Ｖ２が適切に換気される機能（所謂、第３種換気機能）が発揮される。本実施形態において、換気ファン４２ａを２４時間常時作動させておき、屋内部屋Ｖ１の換気を２４時間実行されるものとする。
【００２８】
〔外気予熱用熱交換器〕
屋内部屋Ｖ２の壁部には、給気口４１及び排気口４２が設けられているが、給気口４１には、熱源機１０から供給される湯水Ｌの通流により給気口４１から屋内部屋Ｖ２に導かれる外気Ａを予熱する外気予熱用熱交換器ＨＥ４が設けられている。この外気予熱用熱交換器ＨＥ４は、屋内部屋Ｖ２の壁部内部に内蔵されたフィンチューブ式の熱交換器であり、外気Ａと湯水Ｌとの流れ方向を対向流として湯水Ｌにて外気Ａを効率よく加熱している。
【００２９】
〔制御手段〕
本発明の空調システム１００は、その運転状態を制御する制御装置５０を備えており、制御装置５０は、浴室暖房乾燥機ＨＥ１、ファンコンベクターＨＥ２、及び床暖房パネルＨＥ３の操作部や、外気予熱用熱交換器ＨＥ４の単独での使用要求を指令する指令部等との間での各種情報を通信自在に構成されている。当該制御装置５０は、浴室暖房乾燥機ＨＥ１、ファンコンベクターＨＥ２、及び床暖房パネルＨＥ３の何れかにて運転要求があると、熱源機１０の運転を開始させて熱源機１０から循環回路Ｃにより加熱された高温の湯水を供給する。また、制御装置５０は、外気予熱用熱交換器ＨＥ４の単独使用が要求されたときにも、熱源機１０の運転を開始させて熱源機１０から循環回路Ｃにより加熱された高温の湯水を供給する。そして、制御装置５０は、熱源機１０の運転中には、熱源機１０に設けられた温度センサ（図示せず）の信号に基づいて、熱源機１０におけるバーナ１１の燃焼状態を制御している。
【００３０】
以上が本発明の空調システム１００の基本構成であるが、以下に本発明の特徴構成である循環回路Ｃ、及びそれらを流通する湯水Ｌの循環制御について説明する。
【００３１】
循環回路Ｃは、熱源機１０と浴室暖房乾燥機ＨＥ１、ファンコンベクターＨＥ２、及び床暖房パネルＨＥ３等の熱利用部との間で湯水Ｌを循環させる回路であり、熱源機１０と外気予熱用熱交換器ＨＥ４との間でも湯水Ｌを循環させるように構成されている。
そして、循環回路Ｃは、第１循環回路Ｃ１と第２循環回路Ｃ２とから構成されている。
【００３２】
〔第１循環回路〕
第１循環回路Ｃ１は、湯水Ｌが熱源機１０から浴室暖房乾燥機ＨＥ１、ファンコンベクターＨＥ２、及び床暖房パネルＨＥ３等の熱利用部を流通したのち外気予熱用熱交換器ＨＥ４を流通して熱源機１０に戻る回路である。そして、第１循環回路Ｃ１の熱源機１０と外気予熱用熱交換器ＨＥ４との間に、浴室暖房乾燥機ＨＥ１、ファンコンベクターＨＥ２、及び床暖房パネルＨＥ３等の複数の熱利用部が並列に配設されている。
第１循環回路Ｃ１は、例えばヘッダー等を用いて互いに並列接続された第１〜第３分岐路２１〜２３が備えられており、各第１〜第３分岐路２１〜２３が合流した流路の下流側に外気予熱用熱交換器ＨＥ４が配設されている。第１分岐路２１には、湯水Ｌの流れ方向において、第１流量調整弁３０ａ、浴室暖房乾燥機ＨＥ１の順に配設されており、第２分岐路２２には、湯水Ｌの流れ方向において、第２流量調整弁３０ｂ、ファンコンベクターＨＥ２の順に配設されており、第３分岐路２３には、第３流量調整弁３０ｃ、床暖房パネルＨＥ３の順に配設されている。
運転制御装置５０は、各流量調整弁３０ａ〜３０ｃの開閉及び開状態での開度を各別に制御することにより、浴室暖房乾燥機ＨＥ１、ファンコンベクターＨＥ２、及び床暖房パネルＨＥ３に対して湯水Ｌを各別に流通できるとともに、その流通量も各別に調整可能となっている。
【００３３】
上述した構成により、外気予熱用熱交換器ＨＥ４には、それよりも上流側に配設された浴室暖房乾燥機ＨＥ１、ファンコンベクターＨＥ２、及び床暖房パネルＨＥ３のうちの一つを流通した湯水Ｌが導かれることとなる。これにより、外気予熱熱交換器ＨＥ４に導かれる湯水Ｌは、一つの熱利用部を通流する際に温度低下するだけであり、比較的温度が高い状態で外気予熱用熱交換器ＨＥ４を流通して、外気Ａを適切に予熱する機能を発揮する。
【００３４】
ここで、上述の如く、複数の熱利用部は、浴室暖房乾燥機ＨＥ１とファンコンベクターＨＥ２と床暖房パネルＨＥ３との複数の暖房機器から構成されている。ファンコンベクターＨＥ２と床暖房パネルＨＥ３とは、外気Ａの温度が屋内部屋Ｖ２の空気の温度よりも低い時期（例えば冬季）に使用するので、複数の熱利用部は、外気Ａの温度が屋内部屋Ｖ２の空気の温度よりも低い場合に運転要求されるものとなっている。また、浴室暖房乾燥機ＨＥ１は入浴前の夕方の時間帯等に使用され、ファンコンベクターＨＥ２や床暖房パネルＨＥ３は、居住者が屋内部屋に存在する昼間や晩の時間帯等に使用されるので、複数の熱利用部は、互いに異なる時間帯に運転要求されるものとなっている。これにより、外気予熱用熱交換器ＨＥ４は、外気Ａの温度が屋内部屋Ｖ２の空気の温度よりも低い時期（例えば冬季）に、浴室暖房乾燥機ＨＥ１、ファンコンベクターＨＥ２、及び床暖房パネルＨＥ３の何れかが使用状態となっていれば、湯水Ｌが導かれるようになっており、それらが互いに異なる時間帯に使用されることで、長時間に亘って外気Ａを予熱する機能を発揮する。このような構成を採用することにより、本発明の空調システム１００は、２４時間換気に適したものとなる。
【００３５】
〔第２循環回路〕
第２循環回路Ｃ２は、第１循環回路Ｃ１の第１分岐路２１〜２３と同様に分岐接続された第４分岐路２４を備えており、湯水Ｌが熱源機１０から直接外気予熱用熱交換器ＨＥ４を通流して熱源機１０に戻る回路である。第４分岐路２４には、湯水Ｌの流れ方向において、第４流量調整弁３０ｄ、外気予熱用熱交換器ＨＥ４の順に配設されている。そして、運転制御装置５０は、第４流量調整弁３０ｄの開閉及び開状態での開度を制御することにより、外気予熱用熱交換器ＨＥ４に湯水Ｌを流通させるか否か及び流通させるときの流通量を調整可能となっている。当該第２循環回路Ｃ２は、浴室暖房乾燥機ＨＥ１、ファンコンベクターＨＥ２、及び床暖房パネルＨＥ３のすべてが使用状態にない場合であっても、外気予熱用熱交換器ＨＥ４に湯水Ｌを導いて、外気Ａを適切に予熱する外気予熱専用運転を実行する場合に、有効に用いられる。
【００３６】
制御装置５０には、湯水Ｌを熱源機１０から第１循環回路Ｃ１を流通させる第１循環状態と、湯水Ｌを熱源機１０から第２循環回路Ｃ２を流通させる第２循環状態とに切り替える切替手段Ｘと、浴室暖房乾燥機ＨＥ１、ファンコンベクターＨＥ２、及び床暖房パネルＨＥ３の何れかにて運転要求があるか否か（使用状態であるか否か）、及び、外気予熱用熱交換器ＨＥ４の単独での使用要求があるか否かを判定する運転状態判定手段Ｙとが備えられている。切替手段Ｘは、運転状態判定手段Ｙの判定結果に基づいて、第１〜第４流量調整弁３０ａ〜３０ｄの開閉を制御することにより、第１循環状態と第２循環状態とに切り替える。
【００３７】
運転状態判定手段Ｙにて浴室暖房乾燥機ＨＥ１、ファンコンベクターＨＥ２、及び床暖房パネルＨＥ３の何れかにて運転要求があると判定すると、切替手段Ｘは、運転要求があった機器に対して湯水Ｌを通流させるように、第１〜第３流量調整弁３０ａ〜３０ｃの少なくとも一つを開状態とし、第４流量調整弁３０を閉状態として、第１循環状態に切り替える。ここで、要求運転があった機器が一つである場合、当該機器には、その機器に適した温度に調整された湯水Ｌが導かれることとなる。例えば、床暖房パネルＨＥ３のみから運転要求があると、切替手段Ｘは、第３流量調整弁３０ｃを開状態とし、第１、第２、第４流量調整弁３０ａ、３０ｂ、３０ｄを閉状態として、床暖房パネルＨＥ３のみに湯水Ｌを流通させる。
【００３８】
運転状態判定手段Ｙにて浴室暖房乾燥機ＨＥ１、ファンコンベクターＨＥ２、及び床暖房パネルＨＥ３のすべてからの運転要求がなく、外気予熱用熱交換器ＨＥ４の単独での使用要求があると判定すると、切替手段Ｘは、第１〜第３流量調整弁３０ａ〜３０ｃのすべてを閉状態とし、第４流量調整弁３０を開状態として、第２循環状態に切り替える。
【００３９】
また、運転状態判定手段Ｙにて浴室暖房乾燥機ＨＥ１，ファンコンベクターＨＥ２又は床暖房パネルＨＥ３からの運転要求がある場合、その後、ファンコンベクターＨＥ２及び床暖房パネルＨＥ３の双方からの運転要求がなくなると、第２循環状態に切り替え、その状態を設定時間が経過するまで維持する。これにより、ファンコンベクターＨＥ２及び床暖房パネルＨＥ３での運転が停止しても、ファンコンベクターＨＥ２又は床暖房パネルＨＥ３に流通させていた比較的高温の湯水Ｌを利用して、その湯水Ｌの外気予熱用熱交換器ＨＥ４に流通させて外気Ａを予熱することができ、空調システムの効率向上を図ることができる。
【００４０】
〔別実施形態〕
以下に、本発明の空調システム１００の別実施形態について説明する。
（１）上記実施形態では、換気ファン４２ａが排気口４２に設けられているが、別に給気口４１に給気ファンを設ける構成、及び、給気口４１に給気ファンを設けると共に排気口４２に排気ファンを設ける構成を採用してもよい。
【００４１】
（２）上記実施形態において、外気予熱用熱交換器ＨＥ４は、屋内部屋Ｖ２の壁部内部で給気口４１に一体的に設ける構成を示したが、別に一体としなくとも良く、例えば、屋内部屋Ｖ２の外側で給気口４１の近傍に設ける構成を採用しても良いし、屋内部屋Ｖ２の内側で給気口４１の近傍に設ける構成を採用してもよい。
【００４２】
（３）上記実施形態において、第１循環回路Ｃ１は、浴室暖房乾燥機ＨＥ１の下流側の流路が、外気予熱用熱交換器ＨＥ４を介するように構成したが、例えば、浴室乾燥暖房機ＨＥ１の下流側の流路が，外気予熱用熱交換器ＨＥ４を介さないように構成することができる。即ち、第１循環回路Ｃ１は、図２（ａ）に示すように、夏季にも利用可能な空調用熱交換器である浴室暖房用熱交換器ＨＥ１と外気予熱用熱交換器ＨＥ４との間に三方弁３３を設け、その下流側が外気予熱用熱交換器ＣＨ４の下流側に接続する流路を設けて構成することができる。
これにより、夏季等のように、外気Ａの温度が屋内部屋Ｖ２の温度よりも高い状態の場合に、屋内部屋Ｖ２に導かれる外気Ａの温度を不必要に予熱して、屋内部屋Ｖ２の快適性を損なうことを避けることができる。
【００４３】
（４）本発明の第１循環回路Ｃ１及び第２循環回路Ｃ２において、図２（ｂ）に示すように、外気予熱用熱交換器ＨＥ４を迂回するバイパス回路Ｃ３を設けるように構成することができる。これにより、湯水Ｌが上記バイパス回路Ｃ３を流通するように制御でき、例えば、外気Ａの温度が空調対象空間内の温度より高い状況（夏季等）において、空調対象空間に流入する外気Ａを不必要に予熱することを回避し、空調対象空間の快適性を維持できる。
【００４４】
（５）上記空調用熱交換器として、浴室暖房乾燥機ＨＥ１、ファンコンベクターＨＥ２、及び床暖房パネルＨＥ３を示したが、別に他の空調用熱交換器を備えていても構わない。また、空調用熱交換器の数は、３つに限定されるものではなく、１つ以上であればいくつであっても構わない。
【００４５】
（６）上記熱源機として、バーナ１０を有するものを例として説明したが、別にヒートポンプ等からなる熱源機としても構わない。
【００４６】
（７）空調システム１００の運転状態を制御する制御装置５０は、熱源機１０の運転を制御する制御部によって実現しても構わない。
【００４７】
（８）外気予熱用熱交換器ＨＥ４に対し、運転状態判定手段として機能する制御部と外気Ａの温度を計測する温度センサ等の外気温度計測手段とを設け、直接第４流量調整弁３０ｄの開閉を制御してもかまわない。これにより、外気予熱用熱交換器ＨＥ４は、単独で外気Ａを予熱することができる。
【産業上の利用可能性】
【００４８】
本願発明の空調システムは、上記の課題に鑑みてなされたものであり、その目的は、空調対象空間を夫々の空調用熱交換器により適切に暖めながらも、給気口からの外気をも適切に予熱可能な空調システムとして、有効に利用可能である。
【符号の説明】
【００４９】
１０  ：熱源機
Ｃ１  ：第１循環回路
Ｃ２  ：第２循環回路
Ｃ３  ：バイパス回路
ＨＥ１：浴室暖房乾燥気
ＨＥ２：ファンコンベクター
ＨＥ３：床暖房パネル
ＨＥ４：外気予熱用熱交換器
４１  ：給気口
４２  ：換気口
４２ａ：換気ファン
５０  ：制御装置
Ｘ    ：切替手段
Ｙ    ：運転状態判定手段
Ｌ    ：湯水
Ａ    ：外気
【図１】
2010181072.tif 000003
【図２】
2010181072.tif 000004